(57)【要約】【課題】トイレットペーパ原紙を自動的に、連続的に巻取りシャフトに巻取ってトイレットペーパロールを得る。【解決手段】トイレットペーパ原紙を巻取りシャフトに巻取ってトイレットペーパロールを完成した時に、そのトイレットペーパ原紙を切断すると同時に、残った次のトイレットペーパ原紙の先端面に巻付けエアノズルによるエアを噴射して、巻取りシャフトにトイレットペーパ原子の先端面を巻きつけ、巻取りシャフトにトイレットペーパ原紙を巻付ける。【選択図】図６
2010240218.tif 000002
【特許請求の範囲】
【請求項１】
巻取りシャフトにトイレットペーパ原紙を巻取り終ったら、ライダーロールの回転速度を一瞬上げることにより、トイレットペーパ原紙に張力を加えてトイレットペーパ原紙を切断すると同時に、残った次のトイレットペーパ原紙の先端面に巻付けエアノズルによるエアを噴射して、巻取りシャフトにトイレットペーパ原紙の先端面を巻きつけ、当初はスプレーノズルにより適宜の間トイレットペーパ原紙に水分を付与し、その後水分付与をやめて巻取りシャフトにトイレットペーパ原紙を巻付ける芯なしトイレットペーパロールの連続製造方法。
【請求項２】
トイレットペーパ原紙を巻取りシャフトに巻取って切断する時に、ライダーロールの回転速度を上げて切断する時に、カッターを併用する請求項１に記載の芯なしトイレットペーパロールの連続製造方法。
【請求項３】
ライダーロールの回転速度を一瞬上げることにより、トイレットペーパ原紙に張力を加えてトイレットペーパ原紙を切断する代りに、カッターを用いた請求項１に記載の芯なしトイレットペーパロールの連続製造方法。
【請求項４】
トイレットペーパ原紙を巻取りシャフトに巻取って切断する時に、トイレットペーパ原紙のミシン目に沿って切断する請求項１に記載の芯なしトイレットペーパロールの連続製造方法。
【請求項５】
巻取りシャフトを所定位置に移動するときに、第２巻取りロールの回転速度を下げて巻取りシャフトを所定位置に押込むようにした請求項１に記載の芯なしトイレットペーパロールの連続製造方法。
【発明の詳細な説明】
【技術分野】
【０００１】
本発明は、トイレットペーパ原紙から多数の芯なしトイレットペーパロールを連続的に製造する方法に関する。  
【背景技術】
【０００２】
従来、トイレットペーパ原紙（以下原紙という）から多数の個々の芯なしトイレットペーパロールを製造する場合は、１個のトイレットペーパロール（以下ペーパロールという）を製造する都度、原紙は切断され、続いてさらに次のペーパロールを製造する際には、原紙を新しい巻取りシャフト上に巻込む作業から改めて行わねばならないところから、作業はその間中断され、製造に時間を要するだけでなく、その都度最初から作業をやり直さねばならず、それだけ事故や故障が多くなる欠点を有している。
【先行技術文献】
【特許文献】
【０００３】
【特許文献１】特許第３７９１８５１号公報
【発明の概要】
【発明が解決しようとする課題】
【０００４】
本発明は原紙から多数のペーパロールを連続的に製造し、１本のペーパロールを製造した都度、自動的に連続して次のペーパロールを製造する方法を得ることを解決課題とする。
【課題を解決するための手段】
【０００５】
本発明は、巻取りシャフトに原紙を巻取ってペーパロールを製造するに際し、原紙を巻取りシャフトに巻取ってペーパロールを完成した時に、その原紙を切断すると同時に、残った次の原紙の先端面に巻付けエアノズルによるエアを噴射して、巻取りシャフトに原紙の先端面を巻きつけ、当初はスプレーノズルにより適宜の間原紙に水分を付与し、その後水分付与をやめて巻取りシャフトに原紙を巻付ける芯なしトイレットペーパロールの連続製造方法からなり、
さらに、原紙を巻取りシャフトに巻取って切断する時に、ライダーロールの回転速度を上げて切断したり、その時にカッターを併用して切断したり、カッターを用いて切断したり、
原紙を巻取りシャフトに巻取って切断する時に、原紙のミシン目に沿って切断したり、
また、原紙を巻取りシャフトに巻取って切断すると同時に、残った次の原紙の端面に向けて、エアノズルを噴射して巻取ること、
さらに巻取りシャフトを所定位置に移動するときに、第２巻取りロールの回転速度を下げ、第１巻取ロールと第２巻取ロールの速度差により、巻取りシャフトに原紙を巻付けながら所定の位置に移動すると同時に、第２巻取りロールは巻取シャフトの移動にともない少し下方に移動後定位置に戻る構成を採用した。
【発明の効果】
【０００６】
本発明は、原紙を巻取りシャフトに巻取り始め、原紙を巻取りシャフトに巻き終わって１本のペーパロールを完成し、次の巻取りを自動的に、かつ連続的に行って多数のペーパロールを製造することができるので、製造効率がよく、製造時間、製造コストの点でかつてない効果をあげることができる。
【０００７】
原紙を巻き終わって切断するときは、単に使用中のライダーロールの回転速度を上げさえすればよく、その切断を一層確実にするためにカッターを併用すればより効果的である。
【０００８】
原紙を切断する時には、原紙のミシン目に沿って切断するので、切断しやすく、かつ正確にミシン目に沿ってきれいに切断できる。
【０００９】
連続巻取りを、エアノズルによる空気の噴射とスプレーノズルの噴射をタイミングよく行うことにより実現できるので、特別な装置を別に用意することなく簡単な装置で行うことができる。
【００１０】
巻取りシャフトを第１巻取りロールと第２巻取りロールとの間を通過させて所定位置へ移動させるときに、両ロールの回転速度差を利用し、かつ第２巻取りロールをわずかに移動させるだけで実現するので、設備費は安く行うことができる。
【図面の簡単な説明】
【００１１】
【図１】巻取りシャフトを第１巻取りロールと第２巻取りロール間に位置させたところを示す説明図。
【図２】巻取りシャフトを左方に移動して所定位置に配置して巻取りを始めたところを示す説明図。
【図３】巻取りシャフト上に原紙を巻取り中の説明図。
【図４】巻取りシャフトに原紙を巻き終り、１本のペーパロールが完成したところを示す説明図。
【図５】完成したペーパロールを切断して巻付けエアノズルを噴射したところを示す説明図
【図６】完成したペーパロールを排出し、続いて次の巻取りシャフトに原紙を巻き始めたところを示す説明図。
【発明を実施するための形態】
【００１２】
図１に示すように、原紙１をミシン目付与ロール２を通過させてミシン目を入れ、下方に位置する第１巻取りロール３の下方まで導く。
【００１３】
そこで、シャフト供給部１５から巻取りシャフト４を左方に移動後、巻取シャフト押込みカム８により押込レバー９の先端で第１巻取りロール３と第２巻取りロール６との間に移動させて、原紙１を巻取りシャフト４を挟んで第１と第２巻取りロール３、６間に巻込む。
【００１４】
運転を開始すると、第２巻取りロール６の回転速度を一定時間減速させて巻取りシャフト４を図２に示すように左方に移動する力を付与し、巻取りシャフト４を図２の位置に移動させる。その場合の押込みレバー９の移動は巻取りシャフト押込みカム８上で転動する転動輪１３が巻取りシャフト押込みカム８の回転により行われる。押込みレバー９は支点１９を中心に回動する。
【００１５】
この巻取りシャフト４が両巻取りロール３、６間を通る時には第２巻取りロール６が少し下方に動き、巻取りシャフト４を左方に通過させる。
【００１６】
かくして巻取りシャフト４が第１巻取りロール３、第２巻取りロール６およびライダーロール７により、その位置で回転し続けるが、最初は巻取りシャフト４に導かれた原紙１の先端面に向かってスプレーノズル１０を噴射し、原紙１を巻取りシャフト４上に導き、原紙１を巻取りシャフト４に巻き始める。
【００１７】
そして少しの間、スプレーノズル１０により巻取りシャフト４上の原紙１に水分を付与し、図３に示すように、巻取りシャフト４に巻き取られた原紙１からなるペーパーロール１６の内径部の必要厚さだけ水分を付与したあとは普通の巻取りが行われる。  
【００１８】
勿論水分を付与したペーパロール１６の内径部は水分で固化し、型くずれを防止する。
したがって、図３はその後普通の巻取りを行っているところを示している。
【００１９】
次に図４のように、ペーパロール１６の厚みが増加すると、その増加に対応すべくライダーロール７は支点２０を中心に厚みの増加に対応して上方に動く。
【００２０】
そのライダーロール７は、ライダー巻径制御カム１１上を転動する転動輪１７が、支点２１を中心に同カム１１上を転動することにより、レバー１８を作動させてペーパロール１６の増径に対応させている。
【００２１】
巻取りシャフト４に原紙１が巻かれて１本分のペーパロール１６が完成し、原紙１のミシン目Sが例えば図４のSの位置に到達すると、ライダーロール７の回転速度を一瞬加速する。その加速によってペーパロール１６の表面の原紙１に張力が作用してミシン目Sに沿って原紙１が切断され、ミシン目どおり切断線はきれいに一直線状に形成される。その状態を図５が示している。
【００２２】
以上のようにして巻取りシャフト４上に原紙１が巻取られて切断されて１本のペーパロール１６が完成すると、ペーパロール１６はガイド１８上を下方に移動を開始するが、その時には次の巻取りシャフト４が図５に示すように、第１巻取りロール３と第２巻取りロール６との間に位置しているので、一定時間第２巻取りロール６の回転速度を減速させて巻取りシャフト４に左方へ動く作用を与え、巻取りシャフト４を図６の位置に、原紙１を巻付けながら移動させる。この時もまた第２巻取りロール６を幾分下方に移動するようにして巻取りシャフト４を通過させる。
【００２３】
かくして再び巻取りシャフト４は、第１巻取りロール３、第２巻取りロール６およびライダーロール７に挟まれ回転し、それらのロールと接触状態となって原紙１を本格的に巻取りシャフト４に巻取って次のペーパロール１６を製造する。
【００２４】
かくして芯なしトイレットペーパロールを自動的に、かつ連続的に製造することができる。
【００２５】
巻取りシャフト４に原紙１を巻き終ってペーパロール１６が完成して排出するときにはストッパ１４で急激な落下に制動を加えながら行われる。
【００２６】
つまり、巻取りシャフト４に原紙１が巻取られて、一つのペーパロール１６が出来上ると、上記の方法で原紙１を切断し、その瞬間巻取りシャフト４は次の回転位置にあって、巻付けエアノズル５によって次の原紙１が巻取りシャフト４に巻込み、スプレーノズル１０の水分付与とにより、次の巻取りシャフト４上への原紙１の巻取りが開始する。
【００２７】
なお、巻取りシャフト４に原紙１が巻かれて１本分のペーパロール１６が完成して原紙を切断する時には、ライダーロール７の回転速度を一瞬加速して原紙１を切断するほかに、切断をより確実にするために別途カッター２２を併用したり、単にカッター２２だけを用いて原紙１を切断してもよい。その場合、カッター２２はライダーロール７の回転が加速すると、ミシン目に向けて下がり、カットしたあとに定位置に戻るようにする。
【符号の説明】
【００２８】
１  トイレットペーパ原紙
２  ミシン目付与ロール
３  第１巻取りロール
４  巻取りシャフト
５  巻付けエアノズル
６  第２巻取りロール
７  ライダーロール
８  巻取りシャフト押込みカム
９  押込みレバー
１０  スプレーノズル
１１  ライダー巻径制御カム
１３  転動輪
１４  ストッパ
１５  シャフト供給部
１６  トイレットペーパロール
１７  転動輪
１８  レバー
１９  支点
２０  支点
２１  支点
２２  カッター
Ｓ    ミシン目
【図１】
2010240218.tif 000003
【図２】
2010240218.tif 000004
【図３】
2010240218.tif 000005
【図４】
2010240218.tif 000006
【図５】
2010240218.tif 000007
【図６】
2010240218.tif 000008
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
巻取りシャフトにトイレットペーパ原紙を巻取り終ったら、ライダーロールの回転速度
を一瞬上げることにより、トイレットペーパ原紙に張力を加えてトイレットペーパ原紙を
切断すると同時に、残った次のトイレットペーパ原紙の先端面に巻付けエアノズルによる
エアを噴射して、巻取りシャフトにトイレットペーパ原紙の先端面を巻きつけ、当初はス
プレーノズルにより適宜の間トイレットペーパ原紙に水分を付与し、その後水分付与をや
めて巻取りシャフトにトイレットペーパ原紙を巻付ける芯なしトイレットペーパロールの
連続製造方法。
【請求項２】
トイレットペーパ原紙を巻取りシャフトに巻取って切断する時に、ライダーロールの回
転速度を上げて切断する時に、カッターを併用する請求項１に記載の芯なしトイレットペ
ーパロールの連続製造方法。
【請求項３】
ライダーロールの回転速度を一瞬上げることにより、トイレットペーパ原紙に張力を加
えてトイレットペーパ原紙を切断する代りに、カッターを用いた請求項１に記載の芯なし
トイレットペーパロールの連続製造方法。
【請求項４】
トイレットペーパ原紙を巻取りシャフトに巻取って切断する時に、トイレットペーパ原
紙のミシン目に沿って切断する請求項１に記載の芯なしトイレットペーパロールの連続製
造方法。
【請求項５】
巻取りシャフトを所定位置に移動するときに、第２巻取りロールの回転速度を下げると共に、第２巻取りロールを少し下方に動くようにして巻取りシャフトを所定位置に押込むようにした請求項１に記載の芯なしトイレットペーパロールの連続製造方法。
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
巻取りシャフトにトイレットペーパ原紙を巻取り終ったら、ライダーロールの回転速度
を一瞬上げることにより、トイレットペーパ原紙に張力を加えてトイレットペーパ原紙を
切断すると同時に、第１巻取りロールと第２巻取りロールの間に位置させた次の巻取りシャフトを、第２巻取りロールをわずかに移動させて両巻取りロール間の所定位置に移動し、残った次のトイレットペーパ原紙の先端面に、巻きつけエアノズルによるエアを噴射して、次の巻取りシャフトにトイレットペーパ原紙の先端面を巻きつけ、当初はスプレーノズルにより適宜の間トイレットペーパ原紙に水分を付与し、その後水分付与をやめて巻取りシャフトにトイレットペーパ原紙を巻付ける芯なしトイレットペーパロールの連続製造方法。
【請求項２】
第１巻取りロールと第２巻取りロールの間に位置させた次の巻取りシャフトを所定位置に移動するときに、第２巻取りロールの回転速度を下げてその巻取りシャフトを所定位置に押し込むようにした請求項１に記載の芯なしトイレットペーパロールの連続製造方法。
【手続補正２】
【補正対象書類名】明細書
【補正対象項目名】０００５
【補正方法】変更
【補正の内容】
【０００５】
本発明は、巻取りシャフトにトイレットペーパ原紙を巻取り終ったら、ライダーロールの回転速度を一瞬上げることにより、トイレットペーパ原紙に張力を加えてトイレットペーパ原紙を切断すると同時に、第１巻取りロールと第２巻取りロールの間に位置させた次の巻取りシャフトを、第２巻取りロールをわずかに移動させて両巻取りロール間の所定位置に移動し、残った次のトイレットペーパ原紙の先端面に、巻きつけ付けエアノズルによるエアを噴射して、次の巻取りシャフトにトイレットペーパ原紙の先端面を巻きつけ、当初はスプレーノズルにより適宜の間トイレットペーパ原紙に水分を付与し、その後水分付与をやめて巻取りシャフトにトイレットペーパ原紙を巻付ける芯なしトイレットペーパロールの連続製造方法からなる。
そしてその場合、第１巻取りロールと第２巻取りロールの間に位置させた次の巻取りシャフトを所定位置に移動するときに、第２巻取りロールの回転速度を下げてその巻取りシャフトを所定位置に押し込むようにすることもできる。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
巻取りシャフトにトイレットペーパ原紙を巻取り終ったら、ライダーロールの回転速度
を一瞬上げることにより、トイレットペーパ原紙に張力を加えてトイレットペーパ原紙を
切断すると同時に、第１巻取りロールと第２巻取りロールの間に位置させた次の巻取りシャフトを、第２巻取りロールをわずかに下方に移動させて両巻取りロール間の所定位置に移動し、残った次のトイレットペーパ原紙の先端面に、巻きつけエアノズルによるエアを噴射して、次の巻取りシャフトにトイレットペーパ原紙の先端面を巻きつけ、当初はスプレーノズルにより適宜の間トイレットペーパ原紙に水分を付与し、その後水分付与をやめて巻取りシャフトにトイレットペーパ原紙を巻付ける芯なしトイレットペーパロールの連続製造方法。
【請求項２】
第１巻取りロールと第２巻取りロールの間に位置させた次の巻取りシャフトを所定位置に移動するときに、第２巻取りロールの回転速度を下げてその巻取りシャフトを所定位置に押し込むようにした請求項１に記載の芯なしトイレットペーパロールの連続製造方法。
【手続補正２】
【補正対象書類名】明細書
【補正対象項目名】０００５
【補正方法】変更
【補正の内容】
【０００５】
本発明は、巻取りシャフトにトイレットペーパ原紙を巻取り終ったら、ライダーロールの回転速度を一瞬上げることにより、トイレットペーパ原紙に張力を加えてトイレットペーパ原紙を切断すると同時に、第１巻取りロールと第２巻取りロールの間に位置させた次の巻取りシャフトを、第２巻取りロールをわずかに下方に移動させて両巻取りロール間の所定位置に移動し、残った次のトイレットペーパ原紙の先端面に、巻きつけ付けエアノズルによるエアを噴射して、次の巻取りシャフトにトイレットペーパ原紙の先端面を巻きつけ、当初はスプレーノズルにより適宜の間トイレットペーパ原紙に水分を付与し、その後水分付与をやめて巻取りシャフトにトイレットペーパ原紙を巻付ける芯なしトイレットペーパロールの連続製造方法からなる。
そしてその場合、第１巻取りロールと第２巻取りロールの間に位置させた次の巻取りシャフトを所定位置に移動するときに、第２巻取りロールの回転速度を下げてその巻取りシャフトを所定位置に押し込むようにすることもできる。